(57)【要約】【課題】一例として、テレビジョン受像機および電子機器の小型化を図る。【解決手段】実施形態のテレビジョン受像機は、筐体と、表示装置と、回路基板と、コネクタと、を備えた。前記筐体には、第一開口部と第二開口部とが設けられた。前記表示装置は、前記第一開口部から露出された表示面を有し、前記筐体に収容された。前記回路基板は、前記筐体に収容された。前記コネクタは、前記回路基板に実装されて前記第二開口部から露出され、外部コネクタが挿入される。前記コネクタは、前記外部コネクタと電気的に接続される端子と、前記端子を保持した絶縁性の保持部を有し、前記筐体とは別部材で設けられた基部と、前記筐体に設けられ、前記外部コネクタの第一引っ掛け部が引っ掛けられる第二引っ掛け部と、を有した。【選択図】図４
2014010615.tif 000002
【特許請求の範囲】
【請求項１】
第一開口部と第二開口部とが設けられた筐体と、
前記第一開口部から露出された表示面を有し、前記筐体に収容された表示装置と、
前記筐体に収容された回路基板と、
前記回路基板に実装されて前記第二開口部から露出され、外部コネクタが挿入されるコネクタと、
を備え、
前記コネクタは、
前記外部コネクタと電気的に接続される端子と、
前記端子を保持した絶縁性の保持部を有し、前記筐体とは別部材で設けられた基部と、
前記筐体に設けられ、前記外部コネクタの第一引っ掛け部が引っ掛けられる第二引っ掛け部と、
を有したテレビジョン受像機。
【請求項２】
前記筐体は、前記第二引っ掛け部が設けられた第一壁部と、前記第一壁部と間隔をあけて面した第二壁部と、を有し、
前記基部は、前記第一壁部と前記第二壁部との間に位置された請求項１に記載のテレビジョン受像機。
【請求項３】
前記コネクタは、
前記外部コネクタの挿入方向に沿って延在し前記第一壁部と間隔をあけて位置され、前記保持部に含まれる第三壁部と、
前記外部コネクタにおける前記第一引っ掛け部を含む操作部が挿入される第三開口部が設けられ、前記第三壁部の前記第一壁部側で前記第三壁部と間隔をあけて位置された第四壁部と、
相互に間隔をあけて位置され、前記挿入方向と直交する方向での前記第三壁部の端部と前記挿入方向と直交する方向での前記第四壁部の端部とを接続した一対の第五壁部とを有し、
前記第四壁部の少なくとも一部が前記第一壁部に設けられ、
前記第三開口部の少なくとも一部が前記第一壁部に設けられ、
前記第二引っ掛け部には、前記第三開口部を通過した前記第一引っ掛け部が引っ掛けられる請求項２に記載のテレビジョン受像機。
【請求項４】
前記コネクタは、前記第四壁部の一部を構成し前記第一壁部に重ねられた第六壁部を有し、
前記第一壁部には、前記第六壁部が挿入された凹部が設けられた請求項３に記載のテレビジョン受像機。
【請求項５】
前記第四壁部の全体が前記第一壁部に設けられた請求項３に記載のテレビジョン受像機。
【請求項６】
前記第一壁部には、前記第四壁部を構成し前記一対の第五壁部間に挿入された凸部が設けられた請求項５に記載のテレビジョン受像機。
【請求項７】
前記一対の第五壁部は、前記第一壁部に設けられた請求項３に記載のテレビジョン受像機。
【請求項８】
前記第二壁部には、前記基部が挿入された第四開口部が設けられた請求項３ないし７のいずれか一項に記載のテレビジョン受像機。
【請求項９】
筐体と、
前記筐体に収容された回路基板と、
前記回路基板に実装され、外部コネクタが接続されるコネクタと、
前記筐体に設けられ、前記外部コネクタの第一引っ掛け部が引っ掛けられる第二引っ掛け部と、
を備えた電子機器。
【請求項１０】
外部コネクタと電気的に接続される端子と、
前記端子を保持した絶縁性の保持部を有し、前記筐体とは別部材で設けられた基部と、
前記筐体に設けられ、前記外部コネクタの第一引っ掛け部が引っ掛けられる第二引っ掛け部と、
を備えたコネクタ。
【発明の詳細な説明】
【技術分野】
【０００１】
本発明の実施形態は、テレビジョン受像機、電子機器およびコネクタに関する。
【背景技術】
【０００２】
従来、筐体と、筐体に収容された回路基板と、回路基板に実装されたコネクタと、を備えた電子機器が、知られている。
【先行技術文献】
【特許文献】
【０００３】
【特許文献１】特開平８−１３８７９６号公報
【発明の概要】
【発明が解決しようとする課題】
【０００４】
この種のテレビジョン受像機等の電子機器では、小型化が望まれている。
【０００５】
そこで、本発明の実施形態は、一例として、テレビジョン受像機および電子機器の小型化を図ることを、目的の一つとする。
【課題を解決するための手段】
【０００６】
実施形態のテレビジョン受像機は、筐体と、表示装置と、回路基板と、コネクタと、を備えた。前記筐体には、第一開口部と第二開口部とが設けられた。前記表示装置は、前記第一開口部から露出された表示面を有し、前記筐体に収容された。前記回路基板は、前記筐体に収容された。前記コネクタは、前記回路基板に実装されて前記第二開口部から露出され、外部コネクタが挿入される。前記コネクタは、前記外部コネクタと電気的に接続される端子と、前記端子を保持した絶縁性の保持部を有し、前記筐体とは別部材で設けられた基部と、前記筐体に設けられ、前記外部コネクタの第一引っ掛け部が引っ掛けられる第二引っ掛け部と、を有した。
【図面の簡単な説明】
【０００７】
【図１】図１は、第１実施形態にかかるテレビジョン受像機の一例が示された正面図である。
【図２】図２は、第１実施形態にかかるテレビジョン受像機の一例が示された側面図である。
【図３】図３は、図１のＦ３-Ｆ３断面の一部の一例が示された図である。
【図４】図４は、図１のＦ４-Ｆ４断面の一部の一例が示された図である。
【図５】図５は、図２のＦ５方向から見た第１実施形態にかかるテレビジョン受像機の一例の一部が示された矢視図である。
【図６】図６は、第１実施形態にかかる外部コネクタの一例が示された斜視図である。
【図７】図７は、第１実施形態の第１の変形例にかかるテレビジョン受像機の一例の図３に対応する部分の断面図である。
【図８】図８は、第１実施形態の第２の変形例にかかるテレビジョン受像機の一例の図３に対応する部分の断面図である。
【図９】図９は、第１実施形態の第３の変形例にかかるテレビジョン受像機の一例の図３に対応する部分の断面図である。
【図１０】図１０は、第１実施形態の第４の変形例にかかるテレビジョン受像機の一例の図３に対応する部分の断面図である。
【図１１】図１１は、第１の実施形態の第５の変形例にかかるテレビジョン受像機の一例の図３に対応する部分の断面図である。
【図１２】図１２は、第１の実施形態の第６の変形例にかかるテレビジョン受像機の一例の図３に対応する部分の断面図である。
【図１３】図１３は、第２実施形態にかかる電子機器の一例の展開状態での斜視図である。
【図１４】図１４は、第２実施形態にかかる電子機器の一例の折り畳み状態での平面図である。
【図１５】図１５は、第２実施形態にかかる電子機器の一例の折り畳み状態での側面図である。
【図１６】図１６は、図１５のＦ１６-Ｆ１６断面において第２実施形態にかかる電子機器に外部コネクタが装着された状態を示す図である。
【図１７】図１７は、第３実施形態にかかる電子機器の一例の展開状態を背面側から見た斜視図である。
【図１８】図１８は、図１７のＦ１８-Ｆ１８断面の一部の一例が示された図である。
【発明を実施するための形態】
【０００８】
以下の例示的な複数の実施形態および変形例には、同様の構成要素が含まれている。よって、以下では、同様の構成要素には共通の符号が付されるとともに、重複する説明が省略される。
【０００９】
また、以下の実施形態では、電子機器がテレビジョン受像機や所謂ノートブック型のパーソナルコンピュータとして構成された場合が例示されるが、本実施形態にかかる電子機器は、これには限定されない。本実施形態にかかる電子機器は、例えば、コネクタを有した電子機器、例えば、スマートテレビ、携帯電話機、映像表示装置、テレビ電話機等として構成することができる。
【００１０】
＜第１実施形態＞
本実施形態では、一例として、図１，２に示されるように、テレビジョン受像機１は、支持部２と筐体３とを備える。具体的に、筐体３（第一筐体、第一部分、第一部品）は、表示装置４の少なくとも一部を収容する。支持部２（スタンド部、台、支部、第二筐体、第二部分、他の部分、他の部品）は、筐体３を支持する。支持部２は、外部載置面（平面、水平面）に載置される。
【００１１】
また、本実施形態では、一例として、支持部２は、筐体３を、ヒンジ部（接続部、連結部、回動支持部、ヒンジ機構、接続機構、連結機構、回動支持機構）を介して回動可能に支持する。すなわち、ヒンジ部は、支持部２と筐体３とを回動可能に接続（連結）している。本実施形態では、一例として、ヒンジ部は、表示画面４ａの上下方向の角度を変化させる。すなわち、ヒンジ部はチルトの調整を可能としている。なお、支持部２は筐体３を他の方向への回動（例えば、ピボット、スイベル等）を可能に支持することができる。
【００１２】
テレビジョン受像機１の筐体３は、本実施形態では、一例として、図１に示されるように、正面視および背面視では矩形状（本実施形態では、一例として長方形状）に構成されている。また、筐体３は、本実施形態では、一例として、図２に示されるように、前後方向に薄い扁平な直方体状に構成されている。筐体３は、面３ａ（前面、正面、第一面、第一面部）とこの反対側の面３ｂ（後面、背面、第二面、第二面部）と、を有する。面３ａと面３ｂとは略平行となっている。また、筐体３は、図１に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００１３】
また、筐体３は、面３ａを有する壁部３ｋ（プレート、フレーム、前壁部、表壁部、天壁部）と、面３ｂを有する壁部３ｍ（プレート、後壁部、裏壁部、底壁部、図２参照）と、を有する。壁部３ｋ，３ｍは、矩形状（本実施形態では、一例として長方形状）である。また、筐体３は、壁部３ｋと壁部３ｍとの間に亘った面３ｐ（側面、周面、第三面）を有する四つの壁部３ｎ（第三部分、プレート、側壁部、端壁部、立壁部、亘部）を有する。なお、壁部３ｋには、一例としては矩形状の開口部３ｒ（第一開口部）が設けられている。よって、壁部３ｋは、矩形状かつ枠状である。本実施形態では、壁部３ｍは、後述する引っ掛け部１１ｄ（第二引っ掛け部、図４参照）が設けられた第一壁部（第一部分）の一例であり、壁部３ｋは、壁部３ｍ（第一壁部）と間隔をあけて面した第二壁部（第二部分）の一例である。
【００１４】
さらに、筐体３は、複数の部品（分割体）が組み合わせられて構成されることができる。筐体３は、本実施形態では、一例として、少なくとも壁部３ｋを含む第一筐体部材３１（第一部分、前側部材、マスク、マスク部、カバー、フロントカバー、カバー部、第一領域）と、少なくとも壁部３ｍを含む第二筐体部材３２（第二部分、後側部材、ベース、ベース部、ボトム、ボトム部、カバー、リヤカバー、カバー部、第二領域）とを有する。壁部３ｎは、第一筐体部材３１および第二筐体部材３２のうち少なくともいずれか一方（例えば、第二筐体部材３２）に含まれる。また、筐体３は、第一筐体部材３１および第二筐体部材３２とは別に、これらの間に位置した第三筐体部材（第三部分、中間部材、隔部材、障壁部材、壁部材、介在部材、インナプレート、ミドルプレート、ミドルフレーム、第三領域、図示されず）や、第四筐体部材（第四部分、中間部材、隔部材、障壁部材、壁部材、介在部材、覆部材、シールド、第四領域、図示されず）等を有することができる。
【００１５】
筐体３は、金属材料や、合成樹脂材料等で構成されることができる。第一筐体部材３１および第二筐体部材３２は、比較的剛性の低い材料（第三筐体部材や第四筐体部材より剛性の低い材料、例えば合成樹脂材料等）で構成されることができる。なお、第一筐体部材３１や第二筐体部材３２の筐体３内側には、リブ等の壁部（突出部、突出壁部、図示されず）が設けられることができる。壁部により、筐体３の剛性が高くなりやすい。
【００１６】
また、本実施形態では、一例として、図１に示されるように、表示装置４（表示部、ディスプレイ、パネル）の、面３ａ側に位置した表示画面４ａは、開口部３ｒを介して筐体３の前方（外方）に露出しており、使用者は、前方側から開口部３ｒを介して表示画面４ａを視認することができる。表示装置４は、正面視では矩形状（本実施形態では一例として長方形状）に構成されている。また、表示装置４は、前後方向に薄い扁平な直方体状に構成されている。表示装置４は、例えば、液晶ディスプレイ（ＬＣＤ，liquid  crystal  display）や有機ＥＬディスプレイ（ＯＥＬＤ，organic  electro-luminescent  display）等である。
【００１７】
また、本実施形態では、一例として、表示装置４の前側（表側、壁部３ｋ側）には、入力操作パネル５（一例としてはタッチパネル、タッチセンサ、操作面）が設けられている。入力操作パネル５は、透明な比較的薄い矩形状に構成され、表示画面４ａを覆っている。操作者（ユーザ等）は、例えば、手指や部品（例えばスタイラス等、図示されず）等で入力操作パネル５に対して、触れる、押す、擦る、あるいは手指やスタイラス等を入力操作パネル５の近傍で動かす等の操作を行うことで、入力処理を実行することができる。また、表示装置４の表示画面４ａから出た光は、入力操作パネル５を通過して壁部３ｋの開口部３ｒから筐体３の前方（外方）へ出る。入力操作パネル５は、入力部の一例である。
【００１８】
そして、本実施形態では、一例として、図１に示されるように、筐体３内には、表示装置４の後側（裏側、背後側、壁部３ｍ側、表示画面４ａとは反対側）に、一つ以上の回路基板６（基板、制御基板、メイン基板、電気部品、第一電気部品）が収容されている。回路基板６は、表示装置４と略平行に設けられている。回路基板６は、壁部３ｋ，３ｍ，３ｎ等と離間した状態で、すなわち、壁部３ｋ，３ｍ，３ｎ等との間に空間（隙間）が形成された状態で、設けられている。
【００１９】
また、本実施形態では、一例として、回路基板６には、例えば、ＣＰＵ（central  processing  unit）や、グラフィックコントローラ、電源回路部品、ＰＣＨ（platform  controller  hub）、メモリスロットコネクタ、ＬＣＤコネクタ、Ｉ／Ｏ（input/output）コネクタ、電源コイル、素子、コネクタ等の複数の部品（図示されず）を実装することができる。また、この回路基板６には、一例として、コネクタ１１（図３，４参照）が実装されている。また、制御回路は、例えば、映像信号処理回路や、チューナ部、ＨＤＭＩ（high-definition  multimedia  interface）信号処理部、ＡＶ（audio  video）入力端子、リモコン信号受信部、制御部、セレクタ、オンスクリーンディスプレイインタフェース、記憶部（例えば、ＲＯＭ（read  only  memory）、ＲＡＭ（random  access  memory）、ＨＤＤ（hard  disk  drive）、ＳＳＤ（solid  state  drive）等）、音声信号処理回路等を、含むことができる。制御回路は、表示装置４の表示画面４ａでの映像（動画や静止画等）の出力や、スピーカ（図示されず）での音声の出力、ＬＥＤ（light  emitting  diode、図示されず）での発光等を制御する。表示装置４や、スピーカ、ＬＥＤ等は、出力部の一例である。
【００２０】
図３や図４に示されたコネクタ１１（接続装置、雌型コネクタ）は、一例として、ＲＪ４５規格に準拠したモジューラジャックである。コネクタ１１は、一例として、データ通信用である。なお、コネクタ１１としては、電話通信用のものであってもよい。コネクタ１１は、筐体３の壁部３ｎに設けられた開口部３ｓ（第二開口部、図２，図４）から露出されている。コネクタ１１には、外部コネクタ１００（図４）が挿入される。
【００２１】
コネクタ１１は、端子１１ａ（端子部、接続部、導電部）と、基部１１ｂ（収容部、装着部）と、引っ掛け部１１ｄ（第二引っ掛け部）と、を有している。端子１１ａは、外部コネクタ１００（の端子）と電気的に接続される。端子１１ａは、複数（本実施形態では８個）設けられている。基部１１ｂは、端子１１ａを保持した絶縁性の保持部１１ｃを有している。基部１１ｂは、筐体３とは別部材（別部品）で設けられている。基部１１ｂは、壁部３ｍと壁部３ｋとの間に位置されている。引っ掛け部１１ｄは、筐体３（の壁部３ｍ）に設けられている。引っ掛け部１１ｄには、外部コネクタ１００の引っ掛け部１００ｍが引っ掛けられる。上記から分かるとおり、コネクタ１１は、その一部が筐体３に含まれている。
【００２２】
コネクタ１１は、一例として、概略直方体状を呈している。コネクタ１１は、壁部１１ｅ（第三壁部）と、壁部１１ｇ（第四壁部）と、壁部１１ｊ（第五壁部）と、壁部１１ｑ（第七壁部）と、を有している。
【００２３】
壁部１１ｅは、コネクタ１１への外部コネクタ１００の挿入方向（図４中矢印Ａ方向：以後、単に挿入方向という）に沿って延在し壁部３ｍと間隔をあけて位置されている。壁部１１ｅは、壁部３ｋの内面に当接している。壁部１１ｅは、端子１１ａを保持している。端子１１ａは、挿入方向と直交するコネクタ１１の幅方向（図３中の矢印Ｂ方向）に並べて位置されている。壁部１１ｅは、保持部１１ｃに含まれる。壁部１１ｅは、樹脂等の絶縁性材料によって構成されている。
【００２４】
壁部１１ｇは、壁部１１ｅの壁部３ｍ側で壁部１１ｅと間隔をあけて位置されている。壁部１１ｇには、開口部１１ｆ（第三開口部、図３，５参照）が設けられている。壁部１１ｇの少なくとも一部は、第一壁部３ｍに設けられ、開口部１１ｆの少なくとも一部が壁部３ｍに設けられている。一例として、コネクタ１１には、壁部１１ｇの一部を構成し壁部３ｍに重ねられた壁部１１ｋ（第六壁部）が設けられている。この壁部１１ｋに重ねられた領域を含む壁部３ｍの部分３ｑ（壁部）が、壁部１１ｇの一部を構成している。壁部３ｍの部分３ｑは、一例として、図５の一点鎖線内の部分である。つまり、一例として、壁部１１ｇは、壁部１１ｋと部分３ｑとを含んで構成されている。壁部１１ｋは、樹脂等の絶縁性材料によって構成されている。開口部１１ｆには、外部コネクタ１００における引っ掛け部１００ｍを含む操作部１００ｂが挿入される。開口部１１ｆは、壁部３ｍの部分３ｑと壁部１１ｋとに亘って設けられている。開口部１１ｆは、壁部３ｍの部分３ｑに設けられた開口部１１ｆ１と、壁部１１ｋに設けられた開口部１１ｆ２とを含む。開口部１１ｆは、壁部３ｍの面３ｂ側から見て略Ｔ字状を呈している。開口部１１ｆは、開口部３ｓと連通している。
【００２５】
壁部１１ｊは、一対（二つ）設けられている。一対の壁部１１ｊは、挿入方向と直交する方向であって壁部１１ｅ，１１ｇの対向方向と直交する方向（図３の矢印Ｂ方向）で、相互に間隔をあけて位置されている。一対の壁部１１ｊは、挿入方向と直交する方向での壁部１１ｅの端部１１ｈ１，１１ｈ２と、挿入方向と直交する方向での壁部１１ｇの端部１１ｉ１，１１ｉ２とを接続している。壁部１１ｊは、樹脂等の絶縁性材料によって構成されている。
【００２６】
壁部１１ｑは、挿入方向での基部１１ｂの前側（奥側）の端部に設けられている。壁部１１ｑは、各壁部１１ｅ，１１ｇ，１１ｊの挿入方向での前側（奥側）の端部同士を接続している。壁部１１ｑは、端子１１ａの一部が挿通されたスリット（図示されず）が設けられている。壁部１１ｑは、樹脂等の絶縁性材料によって構成されている。本実施形態では、壁部１１ｑは、壁部１１ｅとともに、保持部１１ｃを構成している。つまり、保持部１１ｃには、壁部１１ｅ，１１ｑが含まれる。本実施形態では、一例として保持部１１ｃは、概略Ｌ字状を呈している。
【００２７】
以上から分かるとおり、本実施形態では、基部１１ｂは、壁部１１ｅ，１１ｊ，１１ｋ，１１ｑを含んで構成されている。
【００２８】
また、本実施形態では、一例として、図３に示されるように、コネクタ１１は、壁部３ｍ，３ｋ同士を結合した一対の結合部１２間に位置されている。結合部１２は、一例として、壁部３ｍに設けられたボス３ｔ１と、壁部３ｋに設けられたボス３ｔ２と、結合具１３（ねじ）とを含む。結合具１３は、ボス３ｔ１に挿通された状態で、ボス３ｔ２の内部に設けられたねじ部（雌ねじ部）と結合している。これにより、基部１１ｂと壁部３ｍ，３ｋとの相対位置精度の向上が図られている。
【００２９】
図６に示された外部コネクタ１００（外部接続装置、雄型コネクタ）は、一例として、ＲＪ４５規格に準拠したモジューラプラグである。
【００３０】
外部コネクタ１００は、本体１００ａと、本体１００ａに設けられた操作部１００ｂ（レバー、可動部）とを有している。本体１００ａは、略直方体状の外形を呈している。本体１００ａは、樹脂材料等の絶縁性材料によって構成されている。本体１００ａには、複数の端子（図示されず）が本体１００ａの幅方向に相互に間隔をあけて並べて設けられている。挿入方向での本体１００ａの前側の端部１００ｃ（一端部）には、各端子に対応するスリット１００ｄが設けられている。スリット１００ｄは、挿入方向での本体１００ａの前側の面１００ｅ（面）と、本体１００ａの外周面１００ｆの一部を構成する面１００ｇ（底面）とに亘って設けられている。各端子は、対応するスリット１００ｄ内に位置されスリット１００ｄから露出されている。外部コネクタ１００がコネクタ１１に装着された状態では、外部コネクタ１００の端子とコネクタ１１の端子１１ａが接続（電気的に接続）される。各端子は、ケーブル２００に接続されている。
【００３１】
操作部１００ｂは、本体１００ａの外周面１００ｆを構成する面であって、面１００ｇの反対側の面１００ｈに設けられている。操作部１００ｂは、本体１００ａの前側の端部１００ｃから挿入方向での本体１００ａの後側の端部１００ｉに向かって所定の勾配（傾斜）をもって延出している。操作部１００ｂは、その基端部（本体１００ａ側の端部）で本体１００ａに一体化されて、本体１００ａに片持ち支持されている。操作部１００ｂは、一例として樹脂等の材料によって構成されている。操作部１００ｂは、面１００ｉに接離する方向で弾性変形可能となっている。操作部１００ｂは、基端部を含む幅広部１００ｊ（部分）と、幅広部１００ｊから延出して操作部１００ｂの先端部を含む幅狭部１００ｋ（部分）と、を有している。幅広部１００ｊの幅狭部１００ｋ側の端部には、引っ掛け部１００ｍが設けられている。引っ掛け部１００ｍは、幅狭部１００ｋを挟んで一対設けられている。
【００３２】
外部コネクタ１００は、コネクタ１１の基部１１ｂに挿入されて、コネクタ１１と接続される。この挿入過程では、一例として、操作部１００ｂの幅広部１００ｊが面１００ｈに近づく方向に基部１１ｂの引っ掛け部１１ｄに押されて、引っ掛け部１１ｄを潜り抜ける（通過する）。幅広部１００ｊが引っ掛け部１１ｄを潜り抜けると、操作部１００ｂが弾性復帰（復元）して、引っ掛け部１００ｍが引っ掛け部１１ｄに引っ掛かる。詳細には、引っ掛け部１１ｄには、開口部１１ｆを通過した引っ掛け部１００ｍが引っ掛けられる。この状態では、外部コネクタ１００は、引っ掛け部１１ｄによって抜け止めされた状態で基部１１ｂに保持されている。
【００３３】
一方、コネクタ１１からの外部コネクタ１００の取り外しの際には、一例として、操作部１００ｂの幅広部１００ｊが面１００ｈに近づく方向に操作者によって押され、引っ掛け部１００ｍが引っ掛け部１１ｄから外される。この状態で、外部コネクタ１００がコネクタ１１の基部１１ｂから引き出される。
【００３４】
以上のとおり、本実施形態のコネクタ１１は、端子１１ａと、基部１１ｂと、引っ掛け部１１ｄと、を備えている。そして、端子１１ａは、外部コネクタ１００と電気的に接続される。基部１１ｂは、端子１１ａを保持した絶縁性の保持部１１ｃを有し、筐体３とは別部材で設けられている。引っ掛け部１１ｄは、筐体３に設けられ、外部コネクタ１００の引っ掛け部１００ｍが引っ掛けられる。
【００３５】
また、テレビジョン受像機１（電子機器）は、筐体３と、筐体３に収容された回路基板６と、回路基板６に実装され、外部コネクタ１００が接続されるコネクタ１１と、筐体３に設けられ、外部コネクタ１００の引っ掛け部１００ｍが引っ掛けられる引っ掛け部１１ｄと、を備えている。
【００３６】
以上説明した本実施形態では、コネクタ１１の引っ掛け部１１ｄが筐体３に設けられている（含まれている）。したがって、本実施形態によれば、テレビジョン受像機１の小型化（薄型化）を図ることができる。
【００３７】
＜第１変形例＞
図７に示されるように、本実施形態の第１変形例のコネクタ１１Ａでは、壁部３ｍに、壁部１１ｋ（第六壁部）が挿入された凹部１１ｍ（第一凹部）が設けられている。一例として、壁部１１ｋは、凹部１１ｍに嵌められていて、凹部１１ｍによって位置決めされている。本変形例によれば、凹部１１ｍに壁部１１ｋが挿入されているので、よりテレビジョン受像機１の小型化（薄型化）を図ることができる。
【００３８】
＜第２変形例＞
図８に示されるように、本実施形態の第２変形例のコネクタ１１Ｂでは、壁部１１ｇの全体が壁部３ｍに設けられている。つまり、本変形例では、壁部１１ｇは、壁部３ｍの部分３ｑによって構成されている。したがって、本変形例によれば、基部１１ｂの構成を簡素化することができる。
【００３９】
＜第３変形例＞
図９に示されるように、本実施形態の第３変形例のコネクタ１１Ｃでは、壁部３ｍに、凸部１１ｎが設けられている点が第２変形例に対して異なる。凸部１１ｎは、壁部１１ｇを構成し一対の壁部１１ｊ間に挿入されている（嵌められている）。凸部１１ｎは、一対の壁部１１ｊを位置決めしている。したがって、本変形例によれば、基部１１ｂの位置決めが良好になされる。
【００４０】
＜第４変形例＞
図１０に示されるように、本実施形態の第４変形例のコネクタ１１Ｄでは、一対の壁部１１ｊが、壁部３ｍに設けられている（含まれている）点が第２および第３の変形例に対して異なる。したがって、本変形例によれば、基部１１ｂの構成を簡素化することができる。
【００４１】
＜第５変形例＞
図１１に示されるように、本実施形態の第５変形例のコネクタ１１Ｅでは、壁部３ｋに、基部１１ｂ（の壁部１１ｅ）が挿入された凹部１１ｐ１（第四開口部）が設けられている。したがって、本変形例によれば、よりテレビジョン受像機１の小型化（薄型化）を図ることができる。
【００４２】
＜第６変形例＞
図１２に示されるように、本実施形態の第６変形例のコネクタ１１Ｆでは、壁部３ｋに、基部１１ｂ（の壁部１１ｅ）が挿入された貫通孔１１ｐ２（第四開口部）が設けられている。したがって、本変形例によれば、よりテレビジョン受像機１の小型化（薄型化）を図ることができる。
【００４３】
＜第２実施形態＞
本実施形態では、一例として、図１３に示されるように、電子機器１Ａは、第一筐体３Ａ（筐体）と第二筐体２Ａとを備える。具体的に、第一筐体３Ａ（第一部分）は、表示装置４の少なくとも一部を収容する。第二筐体２Ａは、回路基板６Ａを収容する。第二筐体２Ａには、キーボード７（入力操作部、第一入力操作部、入力受付部、入力部）や、ポインティングデバイス８ａ（入力操作部、第二入力操作部、入力受付部、入力部）、クリックボタン８ｂ（入力操作部、第三入力操作部、入力受付部、入力部）等が設けられる。
【００４４】
第一筐体３Ａと第二筐体２Ａとは、ヒンジ部（接続部、連結部、回動支持部、ヒンジ機構、接続機構、連結機構、回動支持機構）によって回動可能に接続されている。第一筐体３Ａおよび第二筐体２Ａは、ヒンジ部により、少なくとも図１３に示される展開状態と、図１４に示される折り畳み状態との間で回動可能に接続されている。本実施形態では、一例として、ヒンジ部は、第一筐体３Ａと第二筐体２Ａとを、回動軸Ａｘ回りに回動可能に、接続している。表示装置４の表示画面４ａは、第一筐体３Ａの面３ａ（前面、正面、第一面、第一面部）に設けられた開口部３ｒから露出している。また、キーボード７や、ポインティングデバイス８ａ、クリックボタン８ｂ等は、第二筐体２Ａの面２ａ（上面、正面、第一面、第一面部）に露出している。折り畳み状態では、第一筐体３Ａの面３ａと第二筐体２Ａの面２ａとが重なり、表示画面４ａや、キーボード７、ポインティングデバイス８ａ、クリックボタン８ｂ等が、第一筐体３Ａおよび第二筐体２Ａに隠される。展開状態では、第一筐体３Ａの面３ａおよび第二筐体２Ａの面２ａが露出し、表示画面４ａや、キーボード７、ポインティングデバイス８ａ、クリックボタン８ｂ等が使用可能（視認可能あるいは操作可能）になる。
【００４５】
第一筐体３Ａは、本実施形態では、一例として、図１３，１４に示されるように、正面視および背面視では矩形状（本実施形態では、一例として長方形状）に構成されている。また、第一筐体３Ａは、本実施形態では、一例として、図１５に示されるように、前後方向に薄い扁平な直方体状に構成されている。第一筐体３Ａは、面３ａ（前面、正面、第一面、第一面部）とこの反対側の面３ｂ（後面、背面、第二面、第二面部）と、を有する。面３ａと面３ｂとは略平行になっている。また、第一筐体３Ａは、図１３に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００４６】
また、第一筐体３Ａは、面３ａを有する壁部３ｋ（プレート、フレーム、前壁部、表壁部、天壁部）と、面３ｂを有する壁部３ｍ（プレート、後壁部、裏壁部、底壁部）と、を有する。壁部３ｋ，３ｍは、矩形状（本実施形態では、一例として長方形状）である。また、第一筐体３Ａは、壁部３ｋと壁部３ｍとの間に亘った面３ｐ（側面、周面、第三面）を有する四つの壁部３ｎ（プレート、側壁部、端壁部、立壁部、亘部）を有する。なお、壁部３ｋには、一例としては矩形状の開口部３ｒが設けられている。よって、壁部３ｋは、矩形状かつ枠状である。
【００４７】
さらに、第一筐体３Ａは、複数の部品（分割体）が組み合わせられて構成されることができる。第一筐体３Ａは、本実施形態では、一例として、少なくとも壁部３ｋを含む第一筐体部材３１（第一部分、前側部材、マスク、マスク部、カバー、フロントカバー、カバー部、第一領域）と、少なくとも壁部３ｍを含む第二筐体部材３２（第二部分、後側部材、ベース、ベース部、ボトム、ボトム部、カバー、リヤカバー、カバー部、第二領域）とを有する。壁部３ｎは、第一筐体部材３１および第二筐体部材３２のうち少なくともいずれか一方（例えば、第二筐体部材３２）に含まれる。また、第一筐体３Ａは、第一筐体部材３１および第二筐体部材３２とは別に、これらの間に位置した第三筐体部材（中間部材、隔部材、障壁部材、壁部材、介在部材、インナプレート、ミドルプレート、ミドルフレーム、第三領域、図示されず）や、第四筐体部材（中間部材、隔部材、障壁部材、壁部材、介在部材、覆部材、シールド、第四領域、図示されず）等を有することができる。
【００４８】
第一筐体３Ａは、金属材料や、合成樹脂材料等で構成されることができる。第一筐体部材３１および第二筐体部材３２は、比較的剛性の低い材料（第三筐体部材や第四筐体部材より剛性の低い材料、例えば合成樹脂材料等）で構成されることができる。なお、第一筐体部材３１や第二筐体部材３２の第一筐体３Ａ内側には、リブ等の壁部（突出部、突出壁部、図示されず）が設けられることができる。壁部により、第一筐体３Ａの剛性が高くなりやすい。
【００４９】
また、本実施形態では、一例として、図１３に示されるように、第一筐体３Ａの面３ａには、カメラモジュール１０（カメラ、撮像装置）を設けることができる。カメラモジュール１０等は、第一筐体３Ａの壁部３ｋに設けられた開口部３ｓを介して露出している。なお、第一筐体３Ａの面３ｐに、コネクタや操作部を設けることができる。
【００５０】
また、本実施形態では、一例として、図１３に示されるように、表示装置４（表示部、ディスプレイ、パネル）の、面３ａ側に位置した表示画面４ａは、開口部３ｒを介して第一筐体３Ａの前方（外方）に露出しており、使用者は、前方側から開口部３ｒを介して表示画面４ａを視認することができる。表示装置４は、正面視では矩形状（本実施形態では一例として長方形状）に構成されている。また、表示装置４は、前後方向に薄い扁平な直方体状に構成されている。表示装置４は、例えば、液晶ディスプレイ（ＬＣＤ，liquid  crystal  display）や有機ＥＬディスプレイ（ＯＥＬＤ，organic  electro-luminescent  display）等である。
【００５１】
また、本実施形態では、一例として、表示装置４の前側（表側、壁部３ｋ側）には、入力操作パネル５（一例としてはタッチパネル、タッチセンサ、操作面）が設けられている。入力操作パネル５は、透明な比較的薄い矩形状に構成され、表示画面４ａを覆っている。操作者（ユーザ等）は、例えば、手指や部品（例えばスタイラス等、図示されず）等で入力操作パネル５に対して、触れる、押す、擦る、あるいは手指やスタイラス等を入力操作パネル５の近傍で動かす等の操作を行うことで、入力処理を実行することができる。また、表示装置４の表示画面４ａから出た光は、入力操作パネル５を通過して壁部３ｋの開口部３ｒから第一筐体３Ａの前方（外方）へ出る。入力操作パネル５は、入力部の一例である。
【００５２】
第二筐体２Ａは、本実施形態では、一例として、図１３，１４に示されるように、正面視および背面視では矩形状（本実施形態では、一例として長方形状）に構成されている。また、第二筐体２Ａは、本実施形態では、一例として、図１５に示されるように、前後方向に薄い扁平な直方体状に構成されている。第二筐体２Ａは、面２ａ（上面、正面、第一面、第一面部）とこの反対側の面２ｂ（下面、背面、第二面、第二面部）と、を有する。面２ａと面２ｂとは略平行になっている。また、第二筐体２Ａは、図１３に示されるように、正面視では、四つの端部２ｃ〜２ｆ（辺部、縁部）と、四つの角部２ｇ〜２ｊ（尖部、曲部、端部）と、を有する。端部２ｃ，２ｅは、長辺部の一例である。また、端部２ｄ，２ｆは、短辺部の一例である。
【００５３】
また、第二筐体２Ａは、面２ａを有する壁部２ｋ（プレート、フレーム、前壁部、表壁部、天壁部）と、面２ｂを有する壁部２ｍ（プレート、後壁部、裏壁部、底壁部、図１５参照）と、を有する。壁部２ｋ，２ｍは、矩形状（本実施形態では、一例として長方形状）である。また、第二筐体２Ａは、壁部２ｋと壁部２ｍとの間に亘った面２ｐ（側面、周面、第三面）を有する四つの壁部２ｎ（第三部分、プレート、側壁部、端壁部、立壁部、亘部）を有する。なお、壁部２ｋには、一例としては矩形状の開口部２ｒが設けられている。よって、壁部２ｋは、矩形状かつ枠状である。また、壁部２ｍは、引っ掛け部１１ｄ（第二引っ掛け部、図１６参照）が設けられた第一壁部（第一部分）の一例であり、壁部２ｋは、壁部２ｍ（第一壁部）と間隔をあけて面した第二壁部（第二部分）の一例である。
【００５４】
さらに、第二筐体２Ａは、複数の部品（分割体）が組み合わせられて構成されることができる。第二筐体２Ａは、本実施形態では、一例として、少なくとも壁部２ｋを含む第一筐体部材２１（第一部分、前側部材、マスク、マスク部、カバー、フロントカバー、カバー部、第一領域、図１３参照）と、少なくとも壁部２ｍを含む第二筐体部材２２（後側部材、ベース、ベース部、ボトム、ボトム部、カバー、リヤカバー、カバー部、第二領域、図１５参照）とを有する。壁部２ｎは、第一筐体部材２１および第二筐体部材２２のうち少なくともいずれか一方（例えば、第二筐体部材２２）に含まれる。また、第二筐体２Ａは、第一筐体部材２１および第二筐体部材２２とは別に、これらの間に位置した第三筐体部材（中間部材、隔部材、障壁部材、壁部材、介在部材、インナプレート、ミドルプレート、ミドルフレーム、第三領域、図示されず）や、第四筐体部材（中間部材、隔部材、障壁部材、壁部材、介在部材、覆部材、シールド、第四領域、図示されず）等を有することができる。
【００５５】
第二筐体２Ａは、金属材料や、合成樹脂材料等で構成されることができる。第一筐体部材２１および第二筐体部材２２は、比較的剛性の低い材料（第三筐体部材や第四筐体部材より剛性の低い材料、例えば合成樹脂材料等）で構成されることができる。なお、第一筐体部材２１や第二筐体部材２２の第二筐体２Ａ内側には、リブ等の壁部（突出部、突出壁部、図示されず）が設けられることができる。壁部により、第二筐体２Ａの剛性が高くなりやすい。
【００５６】
第二筐体２Ａの壁部２ｍには、第二筐体２Ａを支持した支持部２０（脚部、脚、ゴム部材）が設けられている。支持部２０は、一例として、四つの角部２ｇ〜２ｊのそれぞれに設けられている。支持部２０は、面２ｂから突出している。支持部２０は、一例として、ゴム等の弾性部材によって構成されている。支持部２０は、外部載置面に載置される。支持部２０は、外部載置面２００に載置された状態で、第二筐体２Ａを支持する。
【００５７】
また、本実施形態では、一例として、図１３に示されるように、キーボード７の操作面７ａ（面、上面）は、開口部２ｒを介して第二筐体２Ａの前方（外方）に露出している。面２ａにおいて、キーボード７は、端部２ｅ側に寄せて位置され、ポインティングデバイス８ａならびにクリックボタン８ｂは端部２ｅとは反対側の端部２ｃ側に寄せて配置されている。端部２ｅは奥行方向（前後方向）の奥側に位置され、端部２ｃは手前側に位置されている。
【００５８】
そして、本実施形態では、一例として、図１３に示されるように、第二筐体２Ａ内には、キーボード７の後側（裏側、背後側、壁部２ｍ側、操作面７ａとは反対側）に、一つ以上の回路基板６Ａ（回路基板、制御基板、メイン基板、電気部品、第一電気部品）が収容されている。回路基板６Ａは、キーボード７と略平行に設けられている。回路基板６Ａは、壁部２ｋ，２ｍ，２ｎ等と離間した状態で、すなわち、壁部２ｋ，２ｍ，２ｎ等との間に空間（隙間）が形成された状態で、設けられている。
【００５９】
また、本実施形態では、一例として、回路基板６Ａには、例えば、ＣＰＵ（central  processing  unit）や、グラフィックコントローラ、電源回路部品、ＰＣＨ（platform  controller  hub）、メモリスロットコネクタ、ＬＣＤコネクタ、Ｉ／Ｏ（input/output）コネクタ、電源コイル、素子、コネクタ等の複数の部品（図示されず）を実装することができる。この回路基板６Ａには、コネクタ１１が実装されている。また、制御回路は、例えば、映像信号処理回路や、チューナ部、ＨＤＭＩ（high-definition  multimedia  interface）信号処理部、ＡＶ（audio  video）入力端子、リモコン信号受信部、制御部、セレクタ、オンスクリーンディスプレイインタフェース、記憶部（例えば、ＲＯＭ（read  only  memory）、ＲＡＭ（random  access  memory）、ＨＤＤ（hard  disk  drive）、ＳＳＤ（solid  state  drive）等）、音声信号処理回路等を、含むことができる。制御回路は、表示装置４の表示画面４ａでの映像（動画や静止画等）の出力や、スピーカ（図示されず）での音声の出力、ＬＥＤ（light  emitting  diode、図示されず）での発光等を制御する。表示装置４や、スピーカ、ＬＥＤ等は、出力部の一例である。
【００６０】
また、本実施形態では、一例として、図１３，１４に示されるように、第二筐体２Ａの端部２ｅの長手方向両端部に、面２ａから厚さ方向に突出した突出部２ｕが設けられている。そして、本実施形態では、一例として、図１４，１５に示されるように、この突出部２ｕに、ヒンジ部の一部（第二筐体２Ａ側の部分）が収容されている。また、本実施形態では、一例として、図１５に示されるように、他のコネクタ１４より高さ（厚さ）の大きいコネクタ１１が、この突出部２ｕに対応して設けられている。また、本実施形態では、一例として、突出部２ｕ内では、コネクタ１１に隣接してヒンジ部が設けられている。また、図１５に示されるように、コネクタ１１に隣接してヒンジキャップ２３が設けられている。よって、一例としては、高さ（厚さ）の大きいコネクタ１１が設けられた部分の電子機器１Ａの高さ（厚さ）が、コネクタ１１とヒンジ部との間、あるいはコネクタ１１とヒンジキャップ２３との間に第二筐体２Ａの壁部が設けられた場合に比べて、より低くなりやすい。また、ヒンジ部が収容された突出部２ｕを、第一筐体部材２１および第二筐体部材２２とは別の部品であるヒンジキャップ２３（カバー、キャップ、覆部、覆部材、第五筐体部材）で覆ったため、一例としては、第一筐体部材２１または第二筐体部材２２を組み立てる（組み付ける、取り扱う）工程と、ヒンジ部回りの部品（ヒンジ部や、コネクタ１１、ハーネス等）を組み立てる（組み付ける、取り扱う）工程とを分けやすくなる。よって、一例としては、製造の手間が減りやすい。また、一例としては、ヒンジキャップ２３の表面（外面）を例えばメタリック塗料で塗装する等、ヒンジキャップ２３に他の部位（一般部位、第一筐体部材２１，３１や第二筐体部材２２，３２等）とは異なった加飾を施すことで、外観にアクセントを加えることができる。
【００６１】
そして、一例として、図１６に示されるように、コネクタ１１は、第二筐体２Ａの壁部２ｍ（第１の壁部）と壁部２ｋ（第２の壁部）との間に位置されて、開口部２ｓから露出している。コネクタ１１は、基本的には第１実施形態と同様であるので、以下では第１の実施形態と異なる点を主に説明する。なお、コネクタ１１に替えてコネクタ１１Ａ〜１１Ｆのいずれかを本実施形態に適用してもよい。
【００６２】
コネクタ１１の基部１１ｂは、壁部２ｍと壁部２ｋとの間に位置されている。引っ掛け部１１ｄは、第二筐体２Ａ（の壁部２ｍ）に設けられている。上記から分かるとおり、コネクタ１１は、その一部が第二筐体２Ａに含まれている。
【００６３】
壁部１１ｅは、コネクタ１１への外部コネクタ１００の挿入方向に沿って延在し壁部２ｍと間隔をあけて位置されている。壁部１１ｅは、壁部２ｋの内面に当接している。
【００６４】
壁部１１ｇは、壁部１１ｅの壁部２ｍ側で壁部１１ｅと間隔をあけて位置されている。壁部１１ｇの少なくとも一部は、第一壁部２ｍに設けられ、開口部１１ｆの少なくとも一部が壁部２ｍに設けられている。一例として、コネクタ１１には、壁部１１ｇの一部を構成し壁部２ｍに重ねられた壁部１１ｋ（第六壁部）が設けられている。この壁部１１ｋに重ねられた領域を含む壁部２ｍの部分２ｑ（壁部）が、壁部１１ｇの一部を構成している。つまり、一例として、壁部１１ｇは、壁部１１ｋと部分２ｑとを含んで構成されている。開口部１１ｆは、壁部２ｍの部分２ｑと壁部１１ｋとに亘って設けられている。開口部１１ｆは、壁部２ｍの部分２ｑに設けられた開口部１１ｆ１と、壁部１１ｋに設けられた開口部１１ｆ２とを含む。開口部１１ｆは、開口部２ｓと連通している。
【００６５】
また、本実施形態では、一例として、コネクタ１１は、支持部２０（角部２ｊの支持部２０）が外部載置面に載置された場合に支持部２０（角部２ｊの支持部２０）の上方で支持部２０（角部２ｊの支持部２０）と重なる位置に、位置されている。
【００６６】
以上説明した本実施形態では、コネクタ１１の引っ掛け部１１ｄが第二筐体２Ａに設けられている（含まれている）。したがって、電子機器１Ａの小型化（薄型化）を図ることができる。
【００６７】
＜第３実施形態＞
本実施形態の電子機器１Ｂは、図１７に示されるように、電子機器１Ａと同様に第一筐体３Ａ（筐体）と第二筐体２Ａとを備えている。本実施形態の電子機器１Ｂは、コネクタ１１に替えてコネクタ１１Ｇ（図１８参照）を備える点が第２実施形態に対して異なる。コネクタ１１Ｇには、外部コネクタ１００Ａが挿入され、コネクタ１１Ｇは外部コネクタ１００Ａと電気的に接続される。コネクタ１１Ｇは、一例としてディスプレイポートを構成する。
【００６８】
コネクタ１１Ｇは、図１８に示されるように、第二筐体２Ａに設けられた開口部２ｓから露出されている。コネクタ１１Ｇは、端子（端子部、接続部、導電部、図示されず）と、基部１１ｂＧ（収容部、装着部）と、引っ掛け部１１ｄＧ（第二引っ掛け部）と、を有している。端子は、外部コネクタ１００Ａ（の端子）と電気的に接続される。基部１１ｂＧは、端子を保持した絶縁性の保持部１１ｃＧを有している。基部１１ｂＧは、第二筐体２Ａとは別部材（別部品）で設けられている。基部１１ｂＧは、壁部２ｍと壁部２ｋとの間に位置されている。引っ掛け部１１ｄＧは、第二筐体２Ａに設けられている。詳細には、引っ掛け部１１ｄＧは、第二筐体２Ａの壁部２ｎ１，２ｎ２に設けられている。壁部２ｎ１は、壁部２ｎに含まれ、壁部２ｎ２は、壁部２ｎから第二筐体２Ａの内方に延出している。引っ掛け部１１ｄＧには、外部コネクタ１００Ａの引っ掛け部１００ｍＡが引っ掛けられる。上記から分かるとおり、コネクタ１１Ｇは、その一部が第二筐体２Ａに含まれている。
【００６９】
外部コネクタ１００Ａは、本体１００ａＡと、本体１００ａＡに取り付けられた操作部１００ｂＡと、操作部１００ｂＡに連結された引っ掛け部１００ｍＡと、を有している。本体１００ａは、樹脂材料等の絶縁性材料によって構成されている。本体１００ａには、端子（図示されず）が設けられている。外部コネクタ１００Ａがコネクタ１１Ｇに装着された状態では、外部コネクタ１００Ａの端子とコネクタ１１Ｇの端子が接続（電気的に接続）される。各端子は、ケーブル（図示されず）に接続されている。
【００７０】
操作部１００ｂＡは、本体１００ａＡの両側部に設けられ本体１００ａＡに対して出没可能となっている。引っ掛け部１００ｍＡは、本体１００ａＡの両側部において操作部１００ｂＡの前側に設けられている。引っ掛け部１００ｍＡは、本体１００ａＡに対して出没可能となっている。操作部１００ｂＡが押されることで、引っ掛け部１００ｍＡが本体１００ａＡに収容される。
【００７１】
外部コネクタ１００Ａは、コネクタ１１Ｇに挿入されて、コネクタ１１Ｇと接続される。この挿入過程では、一例として、操作者によって操作部１００ｂＡが押されることで、引っ掛け部１００ｍＡが本体１００ａＡに収容され、この状態で外部コネクタ１００Ａがコネクタ１１Ｇに挿入される。そして、操作部１００ｂＡの押しが解除されると、引っ掛け部１００ｍＡが引っ掛け部１１ｄＧに引っ掛かる。この状態では、外部コネクタ１００Ａは、引っ掛け部１１ｄＧによって抜け止めされた状態でコネクタ１１Ｇに保持されている。上記の逆の手順によってコネクタ１１から外部コネクタ１００Ａが取り外される。
【００７２】
また、本実施形態では、図１８に示されるように、壁部２ｎに凹部２ｎ３（装着部）が設けられている。凹部２ｎ３にはバッテリ５０（図１７参照）が装着される。壁部２ｎ１は、凹部２ｎ３の側壁を構成している。
【００７３】
以上説明した本実施形態では、コネクタ１１Ｇの引っ掛け部１１ｄＧが第二筐体２Ａに設けられている（含まれている）。したがって、本実施形態によれば、電子機器１Ｂの小型化（狭幅化）を図ることができる。
【００７４】
また、本実施形態では、凹部２ｎ３の横にコネクタ１１Ｇが設けられて、凹部２ｎ３の側壁を構成した壁部２ｎ１に引っ掛け部１１ｄＧが設けられている。したがって、凹部２ｎ３とコネクタ１１Ｇとの間の狭幅化を図ることができる。
【００７５】
以上説明したとおり、上記各実施形態によれば、テレビジョン受像機１や電子機器１Ａ，１Ｂの小型化を図ることができる。
【００７６】
本発明のいくつかの実施形態および変形例を説明したが、これらの実施形態および変形例は、例として提示したものであり、発明の範囲を限定することは意図していない。これら新規な実施形態および変形例は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７７】
１…テレビジョン受像機（電子機器）、１Ａ，１Ｂ…電子機器、２ｓ，３ｓ…開口部（第二開口部）、３ｒ…開口部（第一開口部）、２Ａ…第二筐体（筐体）、２ｍ，３ｍ…壁部（第一壁部）、２ｋ，３ｋ…壁部（第二壁部）、３…筐体、４…表示装置、６，６Ａ…回路基板、１１，１１Ａ〜１１Ｇ…コネクタ、１１ａ…端子、１１ｂ，１１ｂＧ…基部、１１ｃ，１１ｃＧ…保持部、１１ｄ，１１ｄＧ…引っ掛け部（第二引っ掛け部）、１１ｅ…壁部（第三壁部）、１１ｆ…開口部（第三開口部）、１１ｇ…壁部（第四壁部）、１１ｊ…壁部（第五壁部）、１１ｋ…壁部（第六壁部）、１１ｍ…凹部、１１ｎ…凸部、１１ｐ１…凹部（第四開口部）、１１ｐ２…貫通孔（第四開口部）、１００，１００Ａ…外部コネクタ、１００ｂ…操作部、１００ｍ，１００ｍＡ…引っ掛け部（第一引っ掛け部）。
【図１】
2014010615.tif 000003
【図２】
2014010615.tif 000004
【図３】
2014010615.tif 000005
【図４】
2014010615.tif 000006
【図５】
2014010615.tif 000007
【図６】
2014010615.tif 000008
【図７】
2014010615.tif 000009
【図８】
2014010615.tif 000010
【図９】
2014010615.tif 000011
【図１０】
2014010615.tif 000012
【図１１】
2014010615.tif 000013
【図１２】
2014010615.tif 000014
【図１３】
2014010615.tif 000015
【図１４】
2014010615.tif 000016
【図１５】
2014010615.tif 000017
【図１６】
2014010615.tif 000018
【図１７】
2014010615.tif 000019
【図１８】
2014010615.tif 000020